(57)【要約】【課題】使い勝手の良い補聴器装着具とその使用方法を提供する。【解決手段】本発明の補聴器装着具は、本体ケース９と、この本体ケース９の先端側に設けた保持部１０と、この保持部１０よりは前記本体ケース９の後端側に設けた保持解除部１１とを備え、前記保持部１０は、補聴器から引き出された電池ケース４を着脱自在に保持する構成とし、前記保持解除部１１は、前記保持部１０による電池ケース４の保持を解除するとともに、この電池ケース４を前記補聴器内に押し込む構成とした。【選択図】図８
2011061656.tif 000002
【特許請求の範囲】
【請求項１】
本体ケースと、この本体ケースの先端側に設けた保持部と、この保持部よりは前記本体ケースの後端側に設けた保持解除部とを備え、前記保持部は、補聴器から引き出された電池ケースを着脱自在に保持する構成とし、前記保持解除部は、前記保持部による電池ケースの保持を解除するとともに、この電池ケースを前記補聴器内に押し込む構成とした補聴器装着具。
【請求項２】
本体ケースを筒状とし、この本体ケース内の先端側に保持部を設け、この保持部は電池ケースを両側から挟む構成とした請求項１に記載の補聴器装着具。
【請求項３】
保持部は、本体ケース内の両側に配置した第一、第二の板バネにより構成し、これらの第一、第二の板バネの一端を本体ケースの内面に固定するとともに、これらの第一、第二の板バネの他端は所定間隔をおいて対向させた請求項２に記載の補聴器装着具。
【請求項４】
保持解除部は、電池ケースを、保持部の保持力に抗して本体ケースの先端側に押し出す構成とした請求項２、または３に記載の補聴器装着具。
【請求項５】
保持解除部は、その後端側が本体ケースの後端外に引き出されるとともに、その先端側が本体ケース内の先端側に挿入された操作桿と、この操作桿の後端側に装着された操作体と、前記操作桿の先端側に装着された押圧体と、この押圧体に、その一端が取りつけられ、他端が前記本体ケースの内面に取り付けられたバネ体と、前記押圧体に、その一端側が取り付けられるとともに、他端側が前記本体ケースの先端側に延長された押付体とを有し、前記押付体の先端側で、電池ケースを前記補聴器内に押し込む構成とした請求項２〜４のいずれか一つに記載の補聴器装着具。
【請求項６】
押付体の先端側は、保持部による電池ケースの保持時には、本体ケースの内面側に移動する構成とし、保持解除部による、前記電池ケースの保持解除時には、本体ケースの内面の中央側へと移動する構成とした請求項５に記載の補聴器装着具。
【請求項７】
押付体の先端側は、保持部による電池ケースの保持時には、本体ケースの内面の一方側に移動する構成とし、保持解除部による、前記電池ケースの保持解除時には、本体ケースの内面の中央部を経由して、前記本体ケースの内面の他方側に移動する構成とした請求項６に記載の補聴器装着具。
【請求項８】
補聴器から電池ケースを引き出し、この電池ケースを、請求項１〜７のいずれか一つに記載の補聴器装着具の保持部に保持させ、次に補聴器装着具の本体ケースを摘んで前記補聴器を耳孔に装着し、その後保持解除部を操作することで、前記保持部による電池ケースの保持を解除するとともに、前記電池ケースを前記補聴器内に押し込む補聴器装着具の使用方法。
【発明の詳細な説明】
【技術分野】
【０００１】
本発明は、補聴器装着具とその使用方法に関するものである。
【背景技術】
【０００２】
補聴器は、装着感を良くする、あるいは目立たなくしたいという利用者の要望に応えるために、ますます小型化が図られている。しかしながら、そのような小型化を図ると、それを摘んで耳に装着するのは大変で、そのために従来は下記のような対策が講じられていた。すなわち、補聴器に折りたたみ自在のノブを設け、補聴器を耳に装着する時には、前記ノブを補聴器から引き起こし、この状態でノブを摘んで補聴器を耳に装着し、その後、前記ノブを補聴器側に折りたたむものが提案されている（例えば下記特許文献１）。
【先行技術文献】
【特許文献】
【０００３】
【特許文献１】特開２００２−７８０９４号公報
【発明の概要】
【発明が解決しようとする課題】
【０００４】
上記従来例における課題は、使い勝手が悪いということであった。
すなわち、上述のごとく補聴器は小型化を目指しているので、この補聴器に取り付けられるノブも小さなものとなり、その結果小さなノブを摘んでの補聴器装着もなかなか難しく、この装着時に補聴器を落下させてしまうことがある等、使い勝手の悪いものであった。
【０００５】
そこで、本発明は、使い勝手を良くすることを目的とするものである。
【課題を解決するための手段】
【０００６】
そして、この目的を達成するために本発明の補聴器装着具は、本体ケースと、この本体ケースの先端側に設けた保持部と、この保持部よりは前記本体ケースの後端側に設けた保持解除部とを備え、前記保持部は、補聴器から引き出された電池ケースを着脱自在に保持する構成とし、前記保持解除部は、前記保持部による電池ケースの保持を解除するとともに、この電池ケースを前記補聴器内に押し込む構成とし、これにより所期の目的を達成するものである。
【発明の効果】
【０００７】
以上のように本発明の補聴器装着具は、本体ケースと、この本体ケースの先端側に設けた保持部と、この保持部よりは前記本体ケースの後端側に設けた保持解除部とを備え、前記保持部は、補聴器から引き出された電池ケースを着脱自在に保持する構成とし、前記保持解除部は、前記保持部による電池ケースの保持を解除するとともに、この電池ケースを前記補聴器内に押し込む構成としたものであるので、使い勝手を良くすることが出来る。
【０００８】
すなわち、本発明によれば、補聴器から電池ケースを引き出し、この電池ケースを、補聴器装着具の保持部に保持させ、次に補聴器装着具の本体ケースを摘んで前記補聴器を耳孔に装着することが出来る。この場合、補聴器装着具は、補聴器の電池ケースを、その保持部で保持するもの、つまり補聴器とは別体であるので、補聴器装着操作が行いやすい適切な大きさにすることが可能で、したがってこれを簡単に摘んで補聴器を耳孔に簡単に装着することが出来、極めて使い勝手の良いものとなる。また、この補聴器装着後には、補聴器装着具の保持解除部を操作することで、前記保持部による電池ケースの保持を解除するとともに、前記電池ケースを前記補聴器内に押し込むことが出来るので、補聴器の装着後に電池ケースを手で閉めることは不要で、この点からも使い勝手の良いものとなる。
さらに、補聴器装着後に電池ケースが補聴器に押し込まれ、補聴器の起動もこの耳孔への装着後に開始されるので、いわゆるハウリング問題も発生せず、この点からも使い勝手の良いものとなる。
【図面の簡単な説明】
【０００９】
【図１】本発明の実施の形態１にかかる補聴器装着具を用いて補聴器の装着状態を示す正面図
【図２】同補聴器が装着された状態を示す拡大正面図
【図３】同補聴器の斜視図
【図４】同補聴器装着具の斜視図
【図５】同補聴器装着具の正面断面図
【図６】同補聴器装着具の側面断面図
【図７】同補聴器装着具の拡大正面断面図
【図８】同補聴器装着具の拡大側面断面図
【図９】同補聴器の電気的ブロック図
【図１０】同補聴器装着具の側面断面図
【図１１】同補聴器装着具の拡大正面断面図
【図１２】同補聴器の電気的ブロック図
【発明を実施するための形態】
【００１０】
以下、本発明の一実施形態を、添付図面を用いて説明する。
【００１１】
（実施の形態１）
図１は本発明の（実施の形態１）にかかる補聴器装着具１を用いて図２、図３に示す補聴器２を耳孔（図１１の３）に装着する状態を示している。補聴器２は、図３に示すように電池ケース４が引き出し自在となっており、この図３のごとく電池ケース４を補聴器２から引き出した後に電池５の交換も行われる。また、この補聴器２は図７〜図１１に示すように、その内部にマイク６、アンプ７、レシーバ８、前記電池ケース４が収納されており、この内電池ケース４は図１１の状態から、図３の状態へと引き出すことが出来る。そして、この図３の引き出し状態では、図９のごとく電池５と、マイク６、アンプ７、レシーバ８は電気的に接続されず、通電が行われない。また、一旦引き出された電池ケース４は図４の状態から図１１の状態へと補聴器２に押し込むことが出来、この状態では図１２のごとく電池５と、マイク６、アンプ７、レシーバ８が電気的に接続され、通電が行われる。
【００１２】
一方、前記補聴器装着具１は図４〜図８及び図１０、図１１に示すごとく、筒状の本体ケース９と、この本体ケース９の先端側に設けた保持部１０と、この保持部１０よりは前記本体ケースの後端側に設けた保持解除部１１とを備えている。保持部１０は、図３のごとく補聴器２から引き出された電池ケース４を着脱自在に保持するものである。
【００１３】
具体的には、この保持部１０は、本体ケース９先端側内の両側に配置した板バネ１２、１３により構成されており、これらの板バネ１２、１３の一端は本体ケース９の内面に固定され、またこれら板バネ１２、１３の他端は所定間隔をおいて対向させている。
つまり、補聴器２を図１１のごとく耳孔３に装着する時には、先ずは図３のごとく補聴器２から電池ケース４を引き出し、次にこの電池ケース４を図７、図８のごとく本体ケース９の先端側内に挿入する。この時、板バネ１２、１３の他端は、上述のごとく所定間隔をおいて対向させられており、しかもこれらの板バネ１２、１３の他端は図８からも理解されるように本体ケース９の後端側に向けて傾斜した状態となっている。
【００１４】
このため、電池ケース４を図７、図８のごとく本体ケース９の先端側内に挿入すると、電池ケース４は板バネ１２、１３の傾斜に導かれて、これら板バネ１２、１３間に挿入され、これらの図７、図８のごとく板バネ１２、１３で保持される。したがって、補聴器装着具１の本体ケース９を図１のごとく指１４で摘んで前記補聴器２を耳孔３に、図１１のごとく、極めて簡単に装着することが出来る。
【００１５】
この図１１のごとく耳孔３に補聴器２を装着後に、保持部１０（板バネ１２、１３）による電池ケース４の保持解除を行うのが上述した保持解除部１１である。保持解除部１１は、電池ケース４を、保持部１０（板バネ１２、１３）の保持力に抗して本体ケース９の先端側に押し出し、その後補聴器２内に押し込むものである。
【００１６】
具体的には、この保持解除部１１は、図５のごとくその後端側が本体ケース９の後端外に引き出されるとともに、その先端側が本体ケース内の先端側に挿入された棒状の操作桿１５と、この操作桿１５の後端側に装着された板状の操作体１６と、前記操作桿１５の先端側に装着された板状の押圧体１７と、この押圧体１７に、その一端が取りつけられ、他端が前記本体ケース９の内面に取り付けられたバネ体１８と、前記押圧体１７に、その一端側が取り付けられるとともに、他端側が前記本体ケース９の先端側に延長された押付体１９とを備えている。
【００１７】
この内、バネ体１８は無付勢力時（通常状態）には図５、図７の状態となっており、操作体１６を押すと図１０、図１１のごとく押圧体１７の先端側への移動にともない伸ばされることになる。操作体１６を押す時とは、補聴器装着具１の本体ケース９を図１のごとく指１４で摘んで前記補聴器２を耳孔３に装着した（図１１の状態）後のことであり、この時には押圧体１７により押付体１９の一端側が本体ケース９の先端側に向けて押されることになる。
【００１８】
ここで、本体ケース９には、押付体１９の一端側を案内する案内溝（図１１の２０）と、押付体１９の他端側を案内する案内溝（図１１の２１）が設けられている。この内、案内溝２０は図１１のごとく本体ケース９の長手方向（本体ケース９の先端と後端間方向）に平行に開口したものである。
【００１９】
また、案内溝２１は図１１のごとく本体ケース９の長手方向（本体ケース９の先端と後端間方向）に傾斜して開口したものである。具体的には、案内溝２１は、その案内溝２０側が本体ケース９の後端側、その案内溝２０とは反対側が本体ケース９の先端側になる傾斜をしている。このため、図１１のごとく補聴器２を耳孔３に装着した後に、指１４で操作体１６を押すと、押圧体１７により押付体１９の一端側が、案内溝２０に案内され、図５〜図８の状態から図１１のごとく本体ケース９の先端側に向け、本体ケース９の内面に沿って直線的に押されることになる。
【００２０】
一方、押付体１９他端側は、案内溝２１の傾斜に案内され、図７の電池ケース４を、補聴器２内への押し込み方向に押し始めることになる。そしてやがては電池ケース４を、本体ケース９外に完全に押し出すとともに、補聴器２内への押し込みも完了する。つまり、操作体１６による、前記電池ケース４の保持解除操作時には、押付体１９の他端側は、本体ケース９の内面の中央部を経由し、前記本体ケースの内面の他方側に移動する構成としている。
【００２１】
なお、図１１に示すごとく本体ケース９の先端側には、電池ケース４を本体ケース９押し出すための開口２２が設けられている。また、このように電池ケース４を押付体１９他端側で、本体ケース９の先端側に押し出す時にも、保持部１０を構成する板バネ１２、１３により電池ケース４は保持されているが、板バネ１２、１３の保持力を緩やかにしているので、押付体１９他端側で、本体ケース９の先端側に電池ケース４を簡単に押し出すことが出来る。
【００２２】
さらに、この板バネ１２、１３の他端には、上述のごとく本体ケース９の後端側に向けた傾斜が設けられているが、板バネ１２、１３は柔らかく、変形も簡単にするものであるので、その押付体１９他端側で、本体ケース９の先端側に電池ケース４を簡単に押し出すことが出来る。
【００２３】
さて、このようにして図１１のごとく補聴器２を耳孔３に装着した後には、補聴器２と補聴器装着具１は分離された状態となるので、図１の状態で指１４を外側に離せば、補聴器２の装着操作が完了することになる。また、指１４による操作体１６の押圧操作を止めると、バネ体１８が図１１の状態から図７の状態へと収縮するので、押付体１９も、その一端側は案内溝２０に案内され、他端側は案内溝２１に案内され、図１１の状態へと復帰する。つまり、押付体１９は、本体ケース９の内面側を、その先端側から後端側へと移動することになる。
【００２４】
また、図１１のごとく、補聴器２を耳孔３に装着した時には、補聴器２内に電池ケース４が押し込まれた状態となり、この状態では図１２のごとく電池５と、マイク６、アンプ７、レシーバ８が電気的に接続され、通電が行われる。また、このように補聴器２を耳孔３に装着した後に、電池５と、マイク６、アンプ７、レシーバ８が電気的に接続され、通電が行われるようにすれば、装着時のハウリング問題の発生を防止できる。
【産業上の利用可能性】
【００２５】
本発明によれば、補聴器から電池ケースを引き出し、この電池ケースを、補聴器装着具の保持部に保持させ、次に補聴器装着具の本体ケースを摘んで前記補聴器を耳孔に装着することが出来る。この場合、補聴器装着具は、補聴器の電池ケースを、その保持部で保持するもの、つまり補聴器とは別体であるので、補聴器装着操作が行いやすい適切な大きさにすることが可能で、したがってこれを簡単に摘んで補聴器を耳孔に簡単に装着することが出来、極めて使い勝手の良いものとなる。また、この補聴器装着後には、補聴器装着具の保持解除部を操作することで、前記保持部による電池ケースの保持を解除するとともに、前記電池ケースを前記補聴器内に押し込むことが出来るので、補聴器の装着後に電池ケースを手で閉めることは不要で、この点からも使い勝手の良いものとなる。さらに、補聴器装着後に電池ケースが補聴器に押し込まれ、補聴器の起動もこの耳孔への装着後に開始されるので、いわゆるハウリング問題も発生せず、この点からも使い勝手の良いものとなる。このため、補聴器の装着時に広く活用が期待される。
【符号の説明】
【００２６】
１    補聴器装着具
２    補聴器
３    耳孔
４    電池ケース
５    電池
６    マイク
７    アンプ
８    レシーバ
９    本体ケース
１０    保持部
１１    保持解除部
１２，１３    板バネ
１４    指
１５    操作桿
１６    操作体
１７    押圧体
１８    バネ体
１９    押付体
２０，２１    案内溝
２２    開口
【図１】
2011061656.tif 000003
【図２】
2011061656.tif 000004
【図３】
2011061656.tif 000005
【図４】
2011061656.tif 000006
【図５】
2011061656.tif 000007
【図６】
2011061656.tif 000008
【図７】
2011061656.tif 000009
【図８】
2011061656.tif 000010
【図９】
2011061656.tif 000011
【図１０】
2011061656.tif 000012
【図１１】
2011061656.tif 000013
【図１２】
2011061656.tif 000014